(57)【要約】【課題】従来、空気調和機の開閉装置において、パネルに電装部品を取り付けた際、不意にパネルを外すと電装部品を破損するおそれがあるという課題を有していた。【解決手段】分離型空気調和機の開閉装置において、必要以外の時は取り外せない様、固定専用の部品を設けるものである。また、前記固定専用部品の色を他の構成する部品色と大きく変えてもよい。さらに、開閉装置の開閉内容に関する事項を刻印化し、開閉装置近傍に記載してもよい。【選択図】図２
2009097745.tif 000002
【特許請求の範囲】
【請求項１】
分離型空気調和機の開閉装置において、必要以外の時は取り外せない様、固定専用の部品を設けたことを特徴とする分離型空気調和機の開閉装置。
【請求項２】
前記固定専用部品の色を他の構成する部品色と大きく変えたことを特徴とする請求項１に記載の分離型空気調和機の開閉装置。
【請求項３】
前記請求項１に記載の開閉装置の開閉内容に関する事項を刻印化し、開閉装置近傍に記載することを特徴とする請求項１に記載の分離型空気調和機の開閉装置。
【発明の詳細な説明】
【技術分野】
【０００１】
本発明は、分離型空気調和機のパネル開閉装置に関するものである。
【背景技術】
【０００２】
従来の分離型空気調和機のパネル開閉装置の構成としては、開閉させたいパネルに締結するアーム形状部品を左右に設け、前面枠側に前記アームと嵌合させる形状を有し、必要に応じてパネルが開閉され、空気調和機の手入れ、設置工事、修理の際に作業をしやすくするように形成されている（例えば、特許文献１参照）。
【０００３】
図７および図８は、従来の分離型空気調和機の室内機の外観を示す図である。図８に示されるように、分離型空気調和機のパネル４は、その裏側上方に具えられるアーム５が、ネジまたは嵌合により前面枠３に固定される。
【０００４】
空気調和機のパネルのお手入れ、設置工事、修理の際にパネル４を外そうとする際は、パネル４下部の引掛け部１１を持ち手前側に引くことによりアーム５が回転しパネル４を開く。ほぼ９０度開いた状態でパネル４を手前側にひくとパネル４に取り付けたアーム５が内側にたわみ嵌合している前面枠３から外れるように構成されている。
【特許文献１】特開平０９−１１９６６７号公報
【発明の開示】
【発明が解決しようとする課題】
【０００５】
しかしながら、上記従来の構成では、機能向上の目的でパネルに電装部品を配し接続線を取り付けた場合、お手入れ、設置工事、修理などの際にパネルを外した時に接続線を誤って切断してしまうおそれがあるという課題を有していた。
【０００６】
本発明はこのような従来の課題を解決するものであり、アーム取付部に別部品を締結することで容易にパネルが取り外せなくし、取り外す際には取り外す意識を持つことで誤って接続線を破損させないような構成にした分離型空気調和機の開閉装置を提供することを目的とする。
【課題を解決するための手段】
【０００７】
前記従来の課題を解決するために、本発明の分離型空気調和機の開閉装置は、パネルに固定されたアームが開閉動作中に容易に外れないように別部品を前面枠に固定したものである。
【発明の効果】
【０００８】
本発明の分離型空気調和機の開閉装置は、開閉装置部分に別部品を締結することにより、不意な開閉動作時にパネルが外れないようにしたもので、この構成によれば、パネルを外したいときは常に外す意識がなければ外すことができず、機能向上によりパネルに取り付けられた電装部品、接続線の破損を防止するという効果を奏する。
【発明を実施するための最良の形態】
【０００９】
第１の発明は、パネルに固定されたアームが開閉動作中に容易に外れないように別部品を前面枠に固定したことを特徴とする分離型空気調和機の開閉装置である。これにより、通常の開閉動作ではパネルを外すことができなくなり、パネルに取り付けられている電装部品、接続線の破損を防止することができる。
【００１０】
第２の発明は、第１の発明において、前面枠に締結する別部品を周りの部品の色と変えるというものである。これにより別部品であることを視認することができる。
【００１１】
第３の発明は、第１の発明において、開閉装置の近傍に脱着方法を刻印または印刷物で記載するものである。これによりパネル脱着作業の際の作業性を向上させることができる。
【００１２】
以下、本発明の実施の形態について図面を参照しながら説明する。なお、この実施の形態によって本発明が限定されるものではない。
【００１３】
（実施の形態）
図１〜図６はそれぞれ本発明の実施の形態における分離型空気調和機の右側斜視図、右側分解斜視図、右側要部斜視図、要部分解斜視図、要部拡大斜視図、要部拡大図である。図１〜図６において、図７、図８の同じ構成要素については同じ符号を用い、説明を省略する。
【００１４】
図１〜図６において、接続配管、電源接続線、信号接続線等（図示せず）を介して室外機（図示せず）と接続され、室内の冷暖房を行う分離型空気調和機の室内機１は、台枠２と、台枠２の前面に取り付けられる前面枠３と、前面枠３に取り付けられるパネル４とで、その外装が構成されている。
【００１５】
以上のように構成された分離型空気調和機の室内機について、以下そのパネルの開閉装置について説明する。
【００１６】
アーム５はビスまたは嵌合によってパネル４に固定される。パネル４に電装部品６を取り付け、電装部品６から接続線７を配し、室内機本体へ接続線を引き廻し室内機内部の制御装置に接続される。アーム５を取り付けたパネル４は前面枠３に取り付けられるが、従来のようにアーム５が前面枠３から外れる際内側にたわまないように前面枠３に別部品８がネジ  ９にて固定されている。
【００１７】
以上のように、本実施の形態によれば、別部品８によってパネル４が不意に外れないようにすることができ、お手入れ、設置工事、修理の際は、外す意識をもって別部品８を固定しているネジ９を外すことでパネル４を外す必要があるので、パネル４に取り付けられた電装部品、接続線の破損を防止できる。
【００１８】
なお、前面枠３に取り付けられる別部品８の色を前面枠３、アーム５、パネル４と大きく色の差をつけるようにしてもよい。たとえば、前面枠３、パネル４、アーム５を白系統の色にし、別部品８を黒系統の色にする等である。
【００１９】
これにより、本実施の形態において色の差をはっきりさせることで別部品であることを認識でき、不用意な作業を防止することができる。
【００２０】
また、図６に示されるように、前面枠３に取り付けられた別部品８の近傍１０にパネル４の脱着に関連する事項を刻印または印刷物によって表示させるようにしてもよい。これにより、本実施の形態において開閉装置近傍に脱着に関する事項を明記することで不用意な作業を防止することができる。
【産業上の利用可能性】
【００２１】
以上のように、本発明に係る分離型空気調和機の開閉装置は、別部品を前面枠にネジで締結することでパネル開閉時の不意な外れを防止し、パネルに取り付けられた電装部品、
接続線を破損から守ることができる。
【００２２】
また、別部品の色を周りの部品と大きく変えることで、別部品を認識させて不用意な作業を防止できる。
【００２３】
さらに、開閉装置の近傍に開閉に関する事項を刻印または印刷物によって明記することで不用意な作業を防止することができる。
【図面の簡単な説明】
【００２４】
【図１】本発明の実施の形態における分離型空気調和機の室内機の斜視図
【図２】本発明の実施の形態における分離型空気調和機の室内機の分解斜視図
【図３】本発明の実施の形態における分離型空気調和機の室内機の右側要部斜視図
【図４】本発明の実施の形態における分離型空気調和機の室内機の要部分解斜視図
【図５】本発明の実施の形態における分離型空気調和機の室内機の要部拡大斜視図
【図６】本発明の実施の形態における分離型空気調和機の室内機の要部拡大図
【図７】従来の分離型空気調和機の室内機の右側斜視図
【図８】従来の分離型空気調和機の室内機の右側分解斜視図
【符号の説明】
【００２５】
１  室内機
２  台枠
３  前面枠
４  パネル
５  アーム
６  電装部品
７  接続線
８  別部品
９  ビス
１０  近傍
１１  引掛け部
【図１】
2009097745.tif 000003
【図２】
2009097745.tif 000004
【図３】
2009097745.tif 000005
【図４】
2009097745.tif 000006
【図５】
2009097745.tif 000007
【図６】
2009097745.tif 000008
【図７】
2009097745.tif 000009
【図８】
2009097745.tif 000010